(57)【要約】【課題】伝送路障害の発生をネットワーク機器から認識し易くしたネットワーク接続装置を提供する。【解決手段】２つのネットワーク機器０７，０８の間の中継リンク０３，０４に対向接続され、それぞれのネットワーク機器０７，０８と中継リンク０３，０４との媒体変換を行うネットワーク接続装置１０において、接続されているネットワーク機器０７からの受信断または対向するネットワーク接続装置１１からの受信断を伝送路障害として検出する機能と、これらの伝送路障害が検出されたとき直ちに接続されているネットワーク機器０７に対して送信を停止する機能とを備えた。【選択図】        図１
2004187213.tif 000002
【特許請求の範囲】
【請求項１】
２つのネットワーク機器の間の中継リンクに対向接続され、それぞれのネットワーク機器と中継リンクとの媒体変換を行うネットワーク接続装置において、接続されているネットワーク機器からの受信断または対向するネットワーク接続装置からの受信断を伝送路障害として検出する機能と、これらの伝送路障害が検出されたとき直ちに接続されているネットワーク機器に対して送信を停止する機能とを備えたことを特徴とするネットワーク接続装置。
【請求項２】
上記ネットワーク機器からの信号を受信する信号受信部と、その信号を受信しているかどうか監視する信号監視部と、その受信した信号の波形を再生する信号再生部と、その波形が再生された信号を上記中継リンクに送信する信号送信部と、上記中継リンクからの信号を受信する信号受信部と、その信号を受信しているかどうか監視する信号監視部と、その受信した信号の波形を再生する信号再生部と、その波形が再生された信号を上記ネットワーク機器に送信する信号送信部とを備え、一方の信号監視部が受信の異常を検出すると、双方の信号送信部に異常を伝達して送信を停止させることを特徴とする請求項１記載のネットワーク接続装置。
【発明の詳細な説明】
【０００１】
【発明の属する技術分野】
本発明は、２つの遠隔ネットワーク間を媒体の異なる中継リンクを経由して接続するネットワーク接続装置に係り、特に、通信帯域を減少させることなく、伝送路障害の発生をネットワーク機器から認識し易くしたネットワーク接続装置に関するものである。
【０００２】
【従来の技術】
互いに遠隔にある２つのネットワーク間を媒体の異なる中継リンクを経由して接続するために、ネットワーク機器と中継リンクとの媒体変換を行うネットワーク接続装置（メディアコンバータともいう）が中継リンクに対向接続（互いに媒体を整合させて中継リンクの両端に接続）される。媒体の違いとは、端的にはメタルケーブルと光ファイバであるが、光ファイバ同士であっても符号化形式や伝送速度などの相違は媒体の違いに含まれる。
【０００３】
図８に示されるように、ネットワーク接続装置１０は、ネットワーク０１に接続されるネットワーク接続口を有すると共に、中継リンク０３，０４を介して対向するネットワーク接続装置１１に接続することにより、ネットワーク０１，０２間を接続することができる。
【０００４】
従来のネットワーク接続装置１０，１１は、遠隔のネットワーク機器同士がオートネゴシエイション機能をオフにして使用する場合、送信側と受信側の通信が独立して動作するため、片側方向で伝送媒体断やネットワーク接続装置１０，１１の送信停止（障害）が発生した場合では、反対側方向の通信は影響を受けず、これらの伝送路障害（伝送媒体断、対向するネットワーク接続装置の送信停止）を通知する機能がない。
【０００５】
このため、図９に示されるように、ネットワーク接続装置１０に接続されているネットワーク０１内のネットワーク機器０７は、定期的に導通確認のためデータ（導通確認データ２８）をネットワーク接続装置１０に対向するネットワーク接続装置１１に接続されているネットワーク０２内のネットワーク機器０８に送信すると共に、ネットワーク０２内のネットワーク機器０８からの導通確認データ２９が到着するか否かにより伝送路障害の有無を確認していた。
【０００６】
或いはネットワーク接続装置１０，１１にオートネゴシエイション機能を持たせ、ネットワーク接続装置１０，１１間のオートネゴシエイション機能をオンにすることにより、ネットワーク機器０７，０８間のオートネゴシエイション機能がオフのときにも片側の伝送路障害を反対側の伝送路に通知していた。詳しくは特許文献１に記載されている。
【０００７】
【特許文献１】
特開２００２−１３５３３７号公報
【０００８】
【発明が解決しようとする課題】
従来技術には以下のような問題がある。
【０００９】
（１）ネットワーク機器は、定期的な導通確認のデータの到着により伝送路障害の存在を確認しているので、伝送路障害が発生したとき直ちに伝送路障害の発生を確認することができない。
【００１０】
（２）定期的に導通確認データを送信するためにネットワークの通信帯域が使用されるので、その他のデータ通信に使用できる通信帯域が減少する。
【００１１】
（３）ネットワーク接続装置にオートネゴシエイションの信号を生成する機能を搭載しなければならなくなるので、ネットワーク接続装置が複雑化する。
【００１２】
そこで、本発明の目的は、オートネゴシエイション機能を搭載せずに上記課題を解決し、通信帯域を減少させることなく、伝送路障害の発生をネットワーク機器から認識し易くしたネットワーク接続装置を提供することにある。
【００１３】
【課題を解決するための手段】
上記目的を達成するために本発明は、２つのネットワーク機器の間の中継リンクに対向接続され、それぞれのネットワーク機器と中継リンクとの媒体変換を行うネットワーク接続装置において、接続されているネットワーク機器からの受信断または対向するネットワーク接続装置からの受信断を伝送路障害として検出する機能と、これらの伝送路障害が検出されたとき直ちに接続されているネットワーク機器に対して送信を停止する機能とを備えたものである。
【００１４】
上記ネットワーク機器からの信号を受信する信号受信部と、その信号を受信しているかどうか監視する信号監視部と、その受信した信号の波形を再生する信号再生部と、その波形が再生された信号を上記中継リンクに送信する信号送信部と、上記中継リンクからの信号を受信する信号受信部と、その信号を受信しているかどうか監視する信号監視部と、その受信した信号の波形を再生する信号再生部と、その波形が再生された信号を上記ネットワーク機器に送信する信号送信部とを備え、一方の信号監視部が受信の異常を検出すると、双方の信号送信部に異常を伝達して送信を停止させてもよい。
【００１５】
【発明の実施の形態】
以下、本発明の一実施形態を添付図面に基づいて詳述する。
【００１６】
図１に示されるように、本発明に係るネットワーク接続装置１０は、ネットワーク機器からの信号（受信信号）３０を受信する信号受信部４０と、その信号を受信しているかどうか監視する信号監視部４１と、その受信した信号の波形を再生する信号再生部４２と、その波形が再生された信号（送信信号）３１を図示しない中継リンクに送信する信号送信部４３と、上記中継リンクからの信号（受信信号）３２を受信する信号受信部４４と、その信号を受信しているかどうか監視する信号監視部４５と、その受信した信号の波形を再生する信号再生部４６と、その波形が再生された信号（送信信号）３３を上記ネットワーク機器に送信する信号送信部４７とを備えたレイヤ１ネットワーク機器である。
【００１７】
また、図１のネットワーク接続装置は、受信信号３０が異常である場合、信号監視部４１においてその受信信号３０の異常を検出する機能と、この異常が検出されたとき、信号監視部４１が信号送信部４３及び信号送信部４７に異常を伝達する（異常であるという情報を伝達する）機能と、その異常を受信した信号送信部４３及び信号送信部４７がそれぞれ送信信号３１及び送信信号３３を停止する機能とを備えたものである。
【００１８】
なお、信号監視部４１が信号送信部４３に異常を伝達する方法は、信号監視部４１で異常を検出した場合、信号再生部４２にて受信した信号を再生しなければよい。若しくは、信号監視部４１は直接、信号送信部４３に異常を伝達してもよい。
【００１９】
また、図１のネットワーク接続装置は、受信信号３２が異常である場合、信号監視部４４においてその受信信号３２の異常を検出する機能と、この異常が検出されたとき、信号監視部４５が信号送信部４７及び信号送信部４３に異常を伝達する機能と、その異常を受信した信号送信部４７及び信号送信部４３がそれぞれ送信信号３３及び送信信号３１を停止する機能とを備えたものである。
【００２０】
なお、信号監視部４５が信号送信部４７に異常を伝達する方法は、信号監視部４５で異常を検出した場合、信号再生部４６にて受信した信号を再生しなければよい。若しくは、信号監視部４５は直接、信号送信部４７に異常を伝達してもよい。
【００２１】
まとめると、本発明に係るネットワーク接続装置１０は、受信信号３０，３２のどちらの信号が異常であった場合にも、送信信号３１，３３の両方の信号を停止する機能を備えている。受信信号３０の異常は、信号受信部４０に接続されているネットワーク機器からの受信断であり、ネットワーク機器との接続断を意味している。また、受信信号３２の異常は、対向するネットワーク接続装置からの受信断であり、対向するネットワーク接続装置の送信停止を意味している。即ち、本発明に係るネットワーク接続装置１０は、接続されているネットワーク機器からの受信断（ネットワーク機器との接続断）または対向するネットワーク接続装置からの受信断（対向するネットワーク接続装置の送信停止）を伝送路障害として検出する機能と、これらの伝送路障害が検出されたとき直ちに接続されているネットワーク機器及び対向するネットワーク接続装置に対して送信を停止する機能とを備える。
【００２２】
なお、信号監視部４１，４５における信号異常の監視手段は、ＩＥＥＥ（米国電気電子技術者協会）８０２．３−２０００セクション３６．２．５．２．６に規定される同期の検出機能によるものである。
【００２３】
或いは、信号監視部４１，４５における信号異常の監視手段は、ラン・レングス・リミット（符号０又は符号１が規定個以上連続することを禁止しているルール）の監視と、ランニング・ディスパリティ（符号０と符号１の出現率の偏りを減らす符号化を行うルール）の監視であってもよい。
【００２４】
若しくは、信号監視部４１，４５における信号異常の監視手段は、受信している信号の強度が閾値以上であるかどうかを検出する機能（シグナルディテクト）であってもよい。
【００２５】
以下、本発明に係るネットワーク接続装置を用いたネットワークシステムの動作を説明する。
【００２６】
図２〜図５に示したネットワークシステムでは、２つのネットワーク０１，０２は、それぞれ複数のネットワーク機器０７，０８で構成されている。ネットワーク０１には本発明に係るネットワーク接続装置１０のネットワーク接続口２０，２２が接続されている。ネットワーク０２には本発明に係るネットワーク接続装置１１のネットワーク接続口２１，２３が接続されている。そして、ネットワーク接続装置１０，１１は、中継リンク０３，０４を介して相互に接続されている。即ち、ネットワーク接続装置１０，１１は、２つのネットワーク機器０７，０８の間の中継リンク０３，０４に対向接続されている。
【００２７】
この構成により、ネットワーク０１の情報は、ネットワーク接続口２０、中継リンク０３、ネットワーク接続口２１を通ってネットワーク０２へ送信され、ネットワーク０２の情報は、ネットワーク接続口２３、中継リンク０４、ネットワーク接続口２２を通ってネットワーク０１へ送信される。
【００２８】
中継リンク０３，０４は、それぞれ１本の光ファイバにより構成されている。各ネットワーク接続口２０〜２３は、それぞれ光ファイバ又はツイストペア線等のケーブルを用いてネットワーク０１，０２に接続されている。
【００２９】
図２のように、ネットワーク接続口２０に障害（×印で示す）が発生した場合には、ネットワーク接続口２０に接続されるネットワーク機器１０は、ネットワーク接続口２０における障害発生を検出し、中継リンク０３に対して送信信号を停止することにより、対向するネットワーク接続装置１１に障害を通知すると共に、ネットワーク接続口２２の送信信号を停止することにより、ネットワーク機器０７に障害を通知する。中継リンク０３を介して障害を通知された（具体的には受信断を検出した）ネットワーク接続装置１１は、ネットワーク接続口２１の送信信号を停止することにより、ネットワーク機器０８に障害を通知する。
【００３０】
図３のように、中継リンク０３に障害が発生した場合には、中継リンク０３に接続されるネットワーク接続装置１１は、中継リンク０３における障害発生を検出し、ネットワーク接続口２１に対して送信信号を停止することにより、ネットワーク機器０８に障害を通知すると共に、中継リンク０４の送信信号を停止することにより、対向するネットワーク接続装置１０に障害を通知する。中継リンク０４を介して障害を通知されたネットワーク接続装置１０は、ネットワーク接続口２２の送信信号を停止することにより、ネットワーク機器０７に障害を通知する。
【００３１】
図４のように、ネットワーク接続口２３に障害が発生した場合には、ネットワーク接続口２３に接続されるネットワーク機器１１は、ネットワーク接続口２３における障害発生を検出し、中継リンク０４に対して送信信号を停止することにより、対向するネットワーク接続装置１０に障害を通知すると共に、ネットワーク接続口２１の送信信号を停止することにより、ネットワーク機器０８に障害を通知する。中継リンク０４を介して障害を通知されたネットワーク接続装置１０は、ネットワーク接続口２２の送信信号を停止することにより、ネットワーク機器０７に障害を通知する。
【００３２】
図５のように、中継リンク０４に障害が発生した場合には、中継リンク０４に接続されるネットワーク接続装置１０は、中継リンク０４における障害発生を検出し、ネットワーク接続口２２に対して送信信号を停止することにより、ネットワーク機器０７に障害を通知すると共に、中継リンク０３の送信信号を停止することにより、対向するネットワーク接続装置１１に障害を通知する。中継リンク０３を介して障害を通知されたネットワーク接続装置１１は、ネットワーク接続口２１の送信信号を停止することにより、ネットワーク機器０８に障害を通知する。
【００３３】
以上のように、４種類の障害発生時において、ネットワーク接続装置１０，１１は、障害が発生したことをネットワーク機器０７，０８の両方に通知することができる。
【００３４】
次に、他の実施形態を説明する。
【００３５】
図６に示されるように、２つのネットワーク０１，０２は、それぞれ複数のネットワーク機器０７，０８で構成されている。ネットワーク０１には本発明に係るネットワーク接続装置１０，１２のネットワーク接続口２０，２２，２４，２６が接続されている。ネットワーク０２には本発明に係るネットワーク接続装置１１，１３のネットワーク接続口２１，２３，２５，２７が接続されている。そして、ネットワーク接続装置１０，１１は、中継リンク０３，０４を介して相互に接続され、ネットワーク接続装置１２，１３は、中継リンク０５，０６を介して相互に接続されている。
【００３６】
この構成により、ネットワーク０１の情報は、ネットワーク接続口２０、中継リンク０３、ネットワーク接続口２１を通ってネットワーク０２へ送信されるか、若しくはネットワーク接続口２４、中継リンク０５、ネットワーク接続口２５を通ってネットワーク０２へ送信される。ネットワーク０２の情報は、ネットワーク接続口２３、中継リンク０４、ネットワーク接続口２２を通ってネットワーク０１へ送信されるか、若しくはネットワーク接続口２７、中継リンク０６、ネットワーク接続口２６を通ってネットワーク０１へ送信される。
【００３７】
中継リンク０３，０４，０５，０６は、それぞれ１本の光ファイバにより構成されている。各ネットワーク接続口２０〜２７は、それぞれ光ファイバ又はツイストペア線等のケーブルを用いてネットワーク０１，０２に接続されている。
【００３８】
通常の運用において、中継リンク０３，０４および中継リンク０５，０６の両方がネットワーク０１，０２間の通信に利用されている。各ネットワーク機器０７，０８は、中継リンク０３，０４および中継リンク０５，０６に通信トラヒックを分散させて通信を行うことにより、ネットワーク０１，０２間に大きな通信帯域を実現している。
【００３９】
ここで、中継リンク０４において光ファイバの切断が発生した場合の動作を図７により説明する。
【００４０】
この場合、ネットワーク接続装置１０において、ネットワーク接続装置１１からの光信号が途絶えたことが検出される。このとき、直ちにネットワーク接続装置１０は、ネットワーク接続口２２を経由してネットワーク機器０７に光ファイバの接続断を伝えると共に、中継リンク０３を経由してネットワーク接続装置１１に光ファイバの接続断を伝える。ネットワーク接続装置１１は、中継リンク０３から送られてきた異常を検出し、ネットワーク接続口２１を通じてネットワーク機器０８に異常を通知する。
【００４１】
異常の検出に関する手段は、ＩＥＥＥ８０２．３−２０００規格セクション３６．２．５．２．６に規定される同期に関する機能を装備している場合には、同期の喪失の検出による。若しくは、ラン・レングス・リミットとランニング・ディスパリティの監視であってもよい。或いは受信している信号の強度が閾値以上であるかどうかを検出する機能であってもよい。
【００４２】
異常の通知に関する手段は、例えば、ネットワーク接続口及び中継リンクの信号の送信停止による。
【００４３】
このようにして、ネットワーク接続装置１０，１１間の通信ルートが使用不可になったことをネットワーク機器０７，０８に通知し、ネットワーク接続装置１２，１３のみの通信に切り替えることができる。
【００４４】
【発明の効果】
本発明は次の如き優れた効果を発揮する。
【００４５】
（１）オートネゴシエイション機能を搭載しないため、ネットワーク接続装置内部の符号変換装置が不要となり、ネットワーク接続装置は波形の再生機能と信号の監視機能、送信停止機能だけを有すればよく、ネットワーク接続装置の構成を簡素にすることができる。
【００４６】
（２）オートネゴシエイション機能を搭載したネットワーク接続装置では、ネットワーク接続装置自身が信号を作っているため、ネットワーク接続装置がサポートしている信号しかネットワーク間でやりとりできないが、本発明によるネットワーク接続装置では全ての信号を透過するため、ネットワーク接続装置のサポートする信号に関係なく、両端のネットワーク機器が有するあらゆる信号に関する機能が使用可能となる（ネットワーク接続装置がレイヤ１レベルのみの動作をする装置となるので、ネットワーク機器間はレイヤ２レベル以上では任意の方式で通信を行うことができる）。
【図面の簡単な説明】
【図１】本発明の一実施形態を示すネットワーク接続装置の内部構成図である。
【図２】本発明の一実施形態を示すネットワークシステムの構成図である。
【図３】本発明の一実施形態を示すネットワークシステムの構成図である。
【図４】本発明の一実施形態を示すネットワークシステムの構成図である。
【図５】本発明の一実施形態を示すネットワークシステムの構成図である。
【図６】本発明の一実施形態を示すネットワークシステムの構成図である。
【図７】本発明の一実施形態を示すネットワークシステムの構成図である。
【図８】従来のネットワークシステムの構成図である。
【図９】従来のネットワークシステムの構成図である。
【符号の説明】
０１、０２  ネットワーク
０３、０４、０５、０６  中継リンク
０７、０８  ネットワーク機器
１０，１１、１２、１３  ネットワーク接続装置
４０、４４  信号受信部
４１、４５  信号監視部
４２、４６  信号再生部
４３、４７  信号送信部
【図１】
2004187213.tif 000003
【図２】
2004187213.tif 000004
【図３】
2004187213.tif 000005
【図４】
2004187213.tif 000006
【図５】
2004187213.tif 000007
【図６】
2004187213.tif 000008
【図７】
2004187213.tif 000009
【図８】
2004187213.tif 000010
【図９】
2004187213.tif 000011